(57)【要約】【課題】本発明は、浴槽の角部にも強固にかつ確実に取り付けることが出来、使用時の外力によって不意に動いたり外れたりすることがない浴槽用手すりを提供することを課題とする。【解決手段】下向きコの字枠５の一方の側板３から把手６を立設し、他方の側板４にはボルト杆７を螺着し、該ボルト杆７の先端には基板８を少なくとも左右傾動自在に取り付け、更に該基板８には左右一対の押圧板９を少なくとも左右傾動自在に取り付け、該ボルト杆７を正回転させることによって該基板８を介して該左右一対の押圧板９を該コの字枠５の一方の側板３方向に押し付け、該左右一対の押圧板９と該コの字枠５の一方の側板３との間で浴槽の上縁部を挟持することによって浴槽に取り付けられる浴槽用手すり１を提供する。【選択図】    図１
2005224394.tif 000002
【特許請求の範囲】
【請求項１】
下向きコの字枠の一方の側板から把手を立設し、他方の側板にはボルト杆を螺着し、該ボルト杆の先端には基板を少なくとも左右傾動自在に取り付け、更に該基板には左右一対の押圧板を少なくとも左右傾動自在に取り付け、該ボルト杆を正回転させることによって該基板を介して該左右一対の押圧板を該コの字枠の一方の側板方向に押し付け、該左右一対の押圧板と該コの字枠の一方の側板との間で浴槽の上縁部を挟持することによって浴槽に取り付けられることを特徴とする浴槽用手すり。
【請求項２】
下向きコの字枠の上板と該押圧板の上縁とは近接されており、該ボルト杆の回転に伴って該押圧板が回転することが阻止される請求項１に記載の浴槽用手すり。
【請求項３】
該下向きコの字枠の一方の側板の内面と該押圧板の内面にはゴム板が取り付けられている請求項１または請求項２に記載の浴槽用手すり。
【発明の詳細な説明】
【技術分野】
【０００１】
本発明は浴槽の上縁部に取り付けられる浴槽用手すりに関する。
【背景技術】
【０００２】
従来、高齢者や身体障害者が浴槽に出入りする際に体を支えるための手がかりとして使用する浴槽用手すりとしては、下向きコの字状のフレームと、該フレームから立設される把手と、該フレームに取り付けられかつ締め付け用のボルト杆を有する押圧板とからなり、該押圧板の内面には滑り止めかつ浴槽保護のためのゴム板が設けられているものが一般に提供されている（例えば、特許文献１および特許文献２参照。）。
このような浴槽用手すりを浴槽の上縁部に取り付ける場合には、下向きコの字状のフレームを浴槽の上縁部に嵌着して、ボルト杆を回転させることによって押圧板を浴槽の壁面に押し付けて挟持固定する。
【０００３】
【特許文献１】実開平６−１９６７４号公報（第３−５頁、第１図）
【特許文献２】特開平１１−２９９６７４号公報（第３頁、第１図）
【発明の開示】
【発明が解決しようとする課題】
【０００４】
しかしながら上記従来の浴槽用手すりでは、浴槽の角部に浴槽用手すりを取り付ける場合には、該押圧板が平面であるのに対して、浴槽の内壁面は横方向に曲面になっているため、該押圧板は左右両端部の二点で該浴槽の内壁面と接触することとなる。したがって、浴槽の内壁面と押圧板との接触面積が小さくなり、滑り止め効果が低くなるため、浴槽用手すりの強固な取付けが出来ず、使用時の外力によって不意に動いたり外れたりするおそれがあるという問題があった。また、該押圧板の角部が浴槽の内壁面に接触することによって、該浴槽が損傷するおそれがあるという問題もあった。  
このような問題を解決するために、浴槽用手すりに左右二枚の押圧板を設け、それぞれの押圧板に別々のハンドルを設けることも考えられるが、この場合、浴槽の内壁面と押圧板との接触面積は大きくすることが出来るものの、左右の押圧板を均一に締め付けることが困難になり、左右の押圧板の締め付け力にばらつきが生じた場合には、浴槽用手すりの強固な取付けが出来なくなるという問題があった。
【課題を解決するための手段】
【０００５】
本発明は上記従来の課題を解決するための手段として、下向きコの字枠(5) の一方の側板(3) から把手(6) を立設し、他方の側板(4) にはボルト杆(7) を螺着し、該ボルト杆(7) の先端には基板(8) を少なくとも左右傾動自在に取り付け、更に該基板(8) には左右一対の押圧板(9) を少なくとも左右傾動自在に取り付け、該ボルト杆(7) を正回転させることによって該基板(8) を介して該左右一対の押圧板(9) を該コの字枠(5) の一方の側板(3) 方向に押し付け、該左右一対の押圧板(9) と該コの字枠(5) の一方の側板(3) との間で浴槽(26)の上縁部を挟持することによって浴槽(26)に取り付けられる浴槽用手すり(1) を提供するものである。
下向きコの字枠(5) の上板(2) と該押圧板(9) の上縁とは近接されており、該ボルト杆(7) の回転に伴って該押圧板(9) が回転することが阻止されることが望ましい。
また、該下向きコの字枠(5) の一方の側板(3) の内面と該押圧板(9) の内面にはゴム板(10)が取り付けられていることが望ましい。
【発明の効果】
【０００６】
本発明の浴槽用手すり(1) では、ボルト杆(7) を正回転させて、基板(8) を介して左右一対の押圧板(9) を一方の側板(3) 方向に押し付け、該左右一対の押圧板(9) と該下向きコの字枠(5) の一方の側板(3) との間で浴槽(26)の上縁部を挟持する。
該浴槽(26)の角部では内壁面(27)が横方向で曲面になっているが、該基板(8) と該押圧板(9) とはそれぞれ左右傾動自在とされているから、該浴槽用手すり(1) を該浴槽(26)の角部に取り付けた場合であっても、該浴槽用手すり(1) の押圧板(9) は、該浴槽(26)の内壁面(27)の曲面にならって左右に傾動し、該浴槽(26)の内壁面(27)に密着する。
該押圧板(9) は該基板(8) を介して、一つのボルト杆(7) の回転によって押圧力を与えられるので、左右の押圧板(9) には略均等な押圧力が及ぼされることとなり、そのため左右の押圧板(9) は略均一に該浴槽(26)を締め付けることが出来る。
従って本発明の浴槽用手すり(1) は、浴槽(26)の角部にも強固にかつ確実に取り付けることが出来、使用時の外力によって不意に動いたり外れたりすることがない。
【発明を実施するための最良の形態】
【０００７】
本発明を図１〜図４に示す一実施例によって説明する。
図１に示すように、浴槽用手すり(1) は、上板(2) と二つの側板(3,4) を有する下向きコの字枠(5) と、該下向きコの字枠(5) の一方の側板(3) から立設される屈曲コの字形状の把手(6) と、該下向きコの字枠(5) の他方の側板(4) に螺着されるボルト杆(7) とからなる。該ボルト杆(7) の先端に基板(8) が左右傾動自在かつ上下傾動自在に取り付けられており、該基板(8) には左右一対の押圧板(9) が左右傾動自在かつ上下傾動自在に取り付けれられている。
また、該下向きコの字枠(5) の一方の側板(3) の内面と該押圧板(9) の内面には、滑り止めかつ浴槽保護のためのゴム板(10)が取り付けられており、更に、該把手(6) には滑り止めのためのゴム製のグリップ(11)が被着されている。
【０００８】
図２および図３に示すように、該ボルト杆(7) にはネジスリーブ(12)が螺着して外嵌されており、該ネジスリーブ(12)は下向きコの字枠(5) の他方の側板(4) に回転自在に挿着されており、該ネジスリーブ(12)にはハンドル(13)が外側から固定的に外嵌されている。
また、該ボルト杆(7) の先端部にはボス部(14)が設けられており、該ボス部(14)の先端部にはボルト孔(15)が設けられている。基板(8) の中央部にはボス部挿通孔(16)が設けられており、ワッシャ(17)を介在させてボルト杆(7) のボス部(14)を該ボス部挿通孔(16)に挿通し、該ボス部(14)のボルト孔(15)に固定ボルト(18)を螺着する。
この場合、該ボルト杆(7) のボス部(14)と該基板(8) のボス部挿通孔(16)との間には若干の隙間が設けられているので、該基板(8) は該ボルト杆(7) に対して左右傾動自在かつ上下傾動自在とされている。
【０００９】
また、基板(8) には左右一対の凹部(19)が設けられ、押圧板(9) には該基板(8) の凹部(19)に対応する凸部(20)が設けられており、該基板(8) の凹部(19)および該押圧板(9) の凸部(20)の中央部にはボス杆挿通孔が設けられている。そして、該ボス杆挿通孔に挿通されるボス杆の先端部にはボルト孔(23)が設けられており、ワッシャ(24)を介在させて該ボス杆を該ボス杆挿通孔に挿通し、該ボス杆のボルト孔(23)に固定ボルト(25)を螺着する。
この場合、該ボス杆と該ボス杆挿通孔との間には若干の隙間が設けられており、かつ、基板(8) の凹部(19)と押圧板(9) の凸部(20)が対応した形状とされているので、該押圧板(9) は該基板(8) に対して左右傾動自在かつ上下傾動自在とされている。
【００１０】
更に、下向きコの字枠(5) の上板(2) と該押圧板(9) の上縁とは近接されており、該ボルト杆(7) の回転に伴って該押圧板(9) が回転したときに、該押圧板(9) の上縁が該下向きコの字枠(5) の上板(2) の下面に当接して、該ボルト杆(7) の回転に伴って該押圧板(9) が回転することが阻止されている。
【００１１】
上記のような浴槽用手すり(1) を浴槽(26)に取り付ける場合には、ハンドル(13)を介してボルト杆(7) を正回転させて、基板(8) を介して左右一対の押圧板(9) を下向きコの字枠(5) の一方の側板(3) 方向に押し付け、該左右一対の押圧板(9) と該下向きコの字枠(5) の一方の側板(3) との間で浴槽(26)の上縁部を挟持する（図２および図３参照）。
【００１２】
この場合、ハンドル(13)を回転させると、該ハンドル(13)の回転に伴ってネジスリーブ(12)が回転し、該ネジスリーブ(12)の回転に伴ってボルト杆(7) も回転しようとする。しかし、該ボルト杆(7) の先端に基板(8) を介して取り付けられている押圧板(9) の上縁が該下向きコの字枠(5) の上板(2) の下面に当接するため、該ボルト杆(7) は回転することが出来ないため、ネジスリーブ(12)はボルト杆(7) に対して回転することになり、該ボルト杆(7) は該ネジスリーブ(12)内を摺動することとなる。
【００１３】
そうすると、図４に示すように、内壁面(27)が横方向で曲面になっている浴槽(26)の角部に該浴槽用手すり(1) を取り付けた場合であっても、該基板(8) と該押圧板(9) とはそれぞれ左右傾動自在かつ上下傾動自在とされているため、該浴槽用手すり(1) の押圧板(9) は、該浴槽(26)の内壁面(27)の曲面にならって左右および上下に傾動し、該浴槽(26)の内壁面(27)に密着する。
【００１４】
このように、該浴槽用手すり(1) では、該押圧板(9) が該基板(8) を介して一つのボルト杆(7) の回転によって押圧力を与えられるので、左右の押圧板(9) には略均等な押圧力が及ぼされることとなり、そのため左右の押圧板(9) は略均一に該浴槽(26)を締め付けることが出来る。
そのため、該浴槽用手すり(1) は、浴槽(26)の角部にも強固にかつ確実に取り付けることが出来、使用時の外力によって不意に動いたり外れたりすることがない。
【００１５】
以上、本発明の実施の形態を実施例により説明したが、本発明の範囲はこれらに限定されるものではなく、請求項に記載された範囲内において目的に応じて変更・変形することが可能である。
【産業上の利用可能性】
【００１６】
本発明は、浴槽の角部にも強固にかつ確実に取り付けることが出来、使用時の外力によって不意に動いたり外れたりすることがない浴槽用手すりとして、産業上利用することが出来る。
【図面の簡単な説明】
【００１７】
【図１】浴槽用手すりの斜視図である。
【図２】浴槽用手すりの側断面図である。
【図３】浴槽用手すりの平断面図である。
【図４】浴槽用手すりを浴槽の角部に取り付けた状態を示す説明平面図である。
【符号の説明】
【００１８】
1  浴槽用手すり
2  上板
3  一方の側板
4  他方の側板
5  下向きコの字枠
6  把手
7  ボルト杆
8  基板
9  押圧板
10  ゴム板
26  浴槽
【図１】
2005224394.tif 000003
【図２】
2005224394.tif 000004
【図３】
2005224394.tif 000005
【図４】
2005224394.tif 000006